(57)【要約】  【課題】  身体にしっかりと固定されることで運動時の揺れ動きが少なく、身体の動作や運動を妨げることのないポータブルプレーヤー用の肩掛けバッグを提供することである。  【解決手段】  肩掛けバッグ１０は、例えば合成繊維及び柔軟なプラスチック等の柔軟な素材を適宜組み合わせ及び縫製する等して製造され、全体に、上半身にたすき掛けのように斜め掛けすることのできる長さを有し、斜め掛けする際に一方の腕を通すための開口部１２を有する幅広の腕通し部分１４と、この腕通し部分１４の長手方向の各側に夫々伸延され、前記開口部に腕を通した側で胸の一部分を覆う胸当て部分１６と、同じく腕を通した側で背中の一部分を覆う背当て部分１８とを含み、胸当て部分１６には、ポータブルプレーヤーを収納するための収納ポケット３４が形成される。【選択図】      図１
0003107243.tif 000002
【実用新案登録請求の範囲】
【請求項１】
柔軟な材料を含む素材から作製され、上半身に斜め掛けして使用するポータブルプレーヤー用の肩掛けバッグ１０であって、
一方の腕を通すための開口部１２を有し、前記腕を通した状態で該開口部１２の周囲の開口周囲部分２０、２２が脇の下及び肩に各々位置付けられるようにした腕通し部分１４と、
該腕通し部分１４の一方から伸延され、前記腕を通した側で胸の一部分を覆う胸当て部分１６にして、プレーヤー収納ポケット３４及びポケット開口部３６を有する胸当て部分と、
前記腕通し部分１４の他方に伸延され、前記腕を通した側で背中の一部分を覆う背当て部分１８とを含み、
前記胸当て部分１６及び背当て部分１８が、前記斜め掛け状態で相互に係脱自在の係止手段２８、３０を各々有する長手方向の第１端部２４及び第２端部２６を夫々有する肩掛けバッグ。
【請求項２】
第２端部２６が長さ調節自在で且つ伸縮性を有しあるいは有さないベルト部材を含んでいる請求項１の肩掛けバッグ。
【請求項３】
プレーヤー収納ポケット３４が、ヘッドフォンコード４０等を抜き出すための小孔４２を有している請求項１又は２の肩掛けバッグ。
【請求項４】
開口周囲部分２０、２２が、この開口周囲部分との間にコード等を通すことのできる空間部分を創出する補強部材４４を有している請求項１〜３の何れかの肩掛けバッグ。
【請求項５】
開口周囲部分２０、２２が、該口周囲部分のための長さ調節手段を有している請求項１〜４の何れかの肩掛けバッグ。
【請求項６】
第１端部２４が、該第１端部を引っ張ることのできる輪形部分４６を有している請求項１〜５の何れかの肩掛けバッグ。
【考案の詳細な説明】
【技術分野】
【０００１】
本考案は音楽等のポータブルプレーヤー用の肩掛けバッグに関し、詳しくはスポーツをしながらでも音楽等を楽しむことのできるポータブルプレーヤー用の肩掛けバッグに関する。
【背景技術】
【０００２】
従来より、ＣＤやＭＤあるいはＭＰ３といった各種メディア用のポータブルプレーヤーを持ち歩くための専用あるいは汎用のケースやポーチが数多くある。これらのケースやポーチにはネックストラップ付きのものやベルトクリップ式のもの等があるが、一般的にはプレーヤー本体を収納する部分はそうしたネックストラップ等のストラップ、あるいはベルトクリップの下方にいわば宙吊り状態で支持されるようになっている。これらのポーチやケースは、歩行程度の軽い運動では別に問題は起きないが、走ったり飛んだりするような激しい運動あるいはスポーツをしようとすると、プレーヤー収納部分が前述の如く身体にしっかりとは固定されていないことから大きく揺れ動き、身体や、身近な構造部分、例えば手摺りや壁等にぶつかり、そうした運動の邪魔になるばかりか、ストラップが伸びてピンと張る時の反動作用等も加わってプレーヤー自身に大きなショックやストレスが加わり、プレーヤの故障や、機種によっては音飛び、ヘッドやメディアの損傷といった障害を引き起こす恐れが十分にある。
【考案の開示】
【考案が解決しようとする課題】
【０００３】
身体にしっかりと固定されることで運動時の揺れ動きが少なく、身体の動作や運動を妨げることのないポータブルプレーヤー用の肩掛けバッグを提供することである。
【課題を解決するための手段】
【０００４】
本考案によれば、柔軟な材料を含む素材から作製され、上半身に斜め掛けして使用するポータブルプレーヤー用の肩掛けバッグ１０であって、一方の腕を通すための開口部１２を有し、前記腕を通した状態で前記開口部１２の周囲の開口周囲部分２０、２２が脇の下及び肩に各々位置付けられる腕通し部分１４と、該腕通し部分１４の一方から伸延され、前記腕を通した側で胸の一部分を覆う胸当て部分１６にして、プレーヤー収納ポケット３４及びポケット開口部３６を有する胸当て部分と、前記腕通し部分１４の他方に伸延され、前記腕を通した側で背中の一部分を覆う背当て部分１８とを含み、前記胸当て部分１６及び背当て部分１８が、前記斜め掛け状態で相互に係脱自在の係止手段２８、３０を各々有する長手方向の第１端部２４及び第２端部２６を夫々有する肩掛けバッグが提供される。
【０００５】
本考案の好ましい実施例では前記第２端部２６が長さ調節自在で且つ伸縮性を有しあるいは有さないベルト部材を含んでいる。
また、他の好ましい実施例ではヘッドフォンコードを抜き出すための小孔４２が、例えばプレーヤー収納ポケット３４のポケット開口部３６よりも開口部１２寄りの位置に設けられる。
他の好ましい実施例では、プレーヤー収納ポケット３４が、ヘッドフォンコード４０等を抜き出すための小孔４２を有している。
他の好ましい実施例では、開口周囲部分２０、２２が、この開口周囲部分との間にコード等を通すことのできる空間部分を創出する補強部材４４を有している。
他の好ましい実施例では、開口周囲部分２０、２２が該開口周囲部分のための長さ調節手段を有している。
他の好ましい実施例では、第１端部２４が、該第１端部を引っ張ることのできる輪形部分４６を有している。
【考案の効果】
【０００６】
身体にしっかりと固定されることで運動時の揺れ動きが少なく、身体の動作や運動を妨げることのないポータブルプレーヤー用の肩掛けバッグが提供される。
【考案を実施するための最良の形態】
【０００７】
図１及び図２を参照して本考案を詳しく説明する。
図１には本考案によるポータブルプレーヤー用の肩掛けバッグ１０の平面図が示される。肩掛けバッグ１０は、例えば合成繊維及び柔軟なプラスチック等の柔軟な素材を適宜組み合わせ及び縫製する等して製造され、全体に、上半身にたすき掛けのように斜め掛けすることのできる長さを有し、斜め掛けする際に一方の腕を通すための開口部１２を有する幅広の腕通し部分１４と、この腕通し部分１４の長手方向の各側に夫々伸延され、前記開口部に腕を通した側で胸の一部分を覆う胸当て部分１６と、同じく腕を通した側で背中の一部分を覆う背当て部分１８とを含んでいる。
【０００８】
前記開口部１２の周囲に位置付けられる開口周囲部分２０、２２は、開口部２２に腕を通した場合に夫々脇の下及び肩の周囲に沿って掛け廻される。各開口周囲部分２０、２２は、本考案の肩掛け用バッグを取り付けて激しい運動をする際に相互に引っ張り合うことで、そうした激しい運動によって肩掛け用バッグが上下に揺れ動くのを有効に防止する。前記胸当て部分１６及び背当て部分１８の長手方向の各端部、即ち第１端部２４及び第２端部２６には、肩掛けバッグ１０を上半身に斜め掛けした際に相互に係脱自在である任意の係止手段２８、３０が夫々設けられる。係止手段２８、３０は、激しい運動時にも分離せずしかも尚、脱着が容易である限り、任意の構成及び材料製のものとすることが可能である。
【０００９】
第２端部２６は本実施例では背当て部分１８の端部から伸延するように取付けたベルト部材から形成されている。斜め掛けした状態でこれらの係止手段２８及び３０を相互に係合させ、本実施例では第２端部２６に設けた長さ調節手段３２を調節して前記胸当て部分１６と背当て部分１８とを夫々引張ると、これらの胸当て部分１６と背当て部分１８とが胸及び背中の相当部分をぴったりと覆うようになり、前記開口周囲部分２０、２２による上下の揺れの防止に加えて、肩掛け用バック１０の前後の揺れも有効に防止されるようになる。
【００１０】
前記胸当て部分１６には、ポータブルプレーヤーを収納するための収納ポケット３４が形成される。収納ポケット３４は、ポケット開口部３６を通してプレーヤーや付属品等を収納することができ、また収納したプレーヤー等がある程度圧迫されてポケット内で自由に移動しないような内側寸法形状をもつように設計される。また、ポケット開口部３６は、覆い蓋３８あるいはその他の閉鎖手段、例えばジッパやベルクロ（商標）等により、収納したプレーヤーが簡単に飛び出したりしないように閉鎖される構造とされる。
【００１１】
前記収納ポケット３４のポケット開口部３６の近辺には、本実施例ではポケット開口部３６よりも開口部１２に寄った位置に示されるような小孔４２を設けることができる。小孔４２は、収納ポケット３４に収納したポータブルプレーヤーに接続するヘッドフォン等のコード４０を抜き出すために使用することができる。尚、本考案の肩掛け用バッグ１０は、利き腕に応じて左右何れの方向でも斜め掛けすることが可能であり、そうした方向性による機能上の差も生じることがない。
【００１２】
本考案の肩掛けバッグ１０は、腕通し部分１４、胸当て部分１６、背当て部分１８の各部分を含む長手方向に沿って、上半身の形状に一般に良く合致させるようにするため、図２に示すように肩掛けされる側の口周囲部分２２が、脇の下に位置付けられる側の開口周囲部分２０よりも若干長くなるようにして作製される。しかしながらこの点に関しては、例えば各開口周囲部分２０、２２の長さを別個に調節可能な手段を別に設け、色々の体型に適合可能なようにしても良い。
【００１３】
また、各開口周囲部分２０、２２を夫々腕の周囲にぴったりとフィットさせ且つ激しい運動によってこれら開口周囲部分が受ける負荷を軽減させるための補強手段４４が設けられる。これらの補強手段４４は、取り付ける各開口周囲部分２０、２２の内外の各縁部どうしを連結し、その間部分では開口周囲部分とは連結せずに空間を持たせ、この空間部分に前記コード４０の、運動時に揺れ動いて邪魔になりそうな一部分を通して固定させることもできる。
【００１４】
以上、本考案を実施例を参照して説明したが、本考案の内で種々の変更をなし得ることを理解されたい。例えば、図１に示すように、胸当て部分１６の先端部の係止手段２８の周囲に輪形部分４６を延設し、各係止手段を相互に係合させる際にこの輪形部分４６を引っ張ることで各係止手段の係合を助成させることができるような構成とすることができる。更には、図示した実施例のように第２端部２６をベルト部材で形成した場合、このベルト部材に伸縮性を持たせることにより、運動に応じた上半身の形態変化により良く適合させるようにすることもできる。また本考案の肩掛けバッグは、説明したような既存のポータブルプレーヤー用としてのみならず、例えば、テレビやプレーヤー機能等を有する携帯電話、所謂ＡＶケータイ等を収納するためにも使用可能であることは言うまでもない。
【図面の簡単な説明】
【００１５】
【図１】本考案のポータブルプレーヤー用の肩掛けバックの平面図である。
【図２】本考案のポータブルプレーヤー用の肩掛けバックを上半身に取り付けた状態を示す斜視図である。
【符号の説明】
【００１６】
１０  肩掛けバッグ
１２  開口部
１４  腕通し部分
１６  胸当て部分
１８  背当て部分
２０、２２  開口周囲部分
２４  第１端部
２６  第２端部
２８、３０  係止手段
３２  長さ調節手段
３４  収納ポケット
３６  ポケット開口部
３８  覆い蓋
４０  コード
４２  小孔
４４  補強部材
４６  輪形部分
【図１】
0003107243.tif 000003
【図２】
0003107243.tif 000004